(57)【要約】【課題】別部品のサブリフレクタを用いることなくサイドターンシグナル機能が得られる車両用ターンシグナルランプの提供を図る。【解決手段】光源１１の出射光の一部は、リフレクタ１３に形成した光透過部１５を透過する。光透過部１５を透過した光は、そのままアウターレンズ４の側方出射部１６からランプ側方に照射される直射系Ｌ１と、奥見え防止用のインナーパネル１４の裏面に形成した第２の反射面１７で反射されて、側方出射部１６からランプ後斜方向に照射される反射系Ｌ２の２系統の光路グループで構成され、サイドターンシグナル配光範囲が広げられる。【選択図】図１
2010040316.tif 000002
【特許請求の範囲】
【請求項１】
ハウジングと、該ハウジングの開口部を覆うアウターレンズと、これらハウジングとアウターレンズとで形成された灯室に配設された光源と、該光源の出射光を反射する反射面が形成されたリフレクタと、を備えた車両用ターンシグナルランプであって、
前記リフレクタは、前記アウターレンズの内面に沿って配設された奥見え防止用のインナーパネルに一体に形成され、
該リフレクタには、前記光源の出射光の一部を車幅方向外側に向けて透過させる光透過部が形成されている一方、
前記アウターレンズは、その車幅方向外側の側面にサイドターンシグナル用の側方出射部を備え、
前記インナーパネルの前記リフレクタと側方出射部との間に配置された部分の裏面には、前記光透過部を透過した光源の出射光の一部を前記側方出射部に向けて反射させる第２の反射面が形成されていることを特徴とする車両用ターンシグナルランプ。
【請求項２】
前記インナーパネルに形成された第２の反射面と、前記アウターレンズに形成された側方出射部の内面のいずれか一方、または両方に、複数個の縦方向の略半円柱状突部が連続した凹凸面からなるプリズムが形成されていることを特徴とする請求項１に記載の車両用ターンシグナルランプ。
【請求項３】
前記側方出射部の内面に形成されたプリズムの前後方向形成範囲が、前記第２の反射面に形成されたプリズムの車幅方向形成範囲よりも広く設定されていることを特徴とする請求項２に記載の車両用ターンシグナルランプ。
【請求項４】
前記第２の反射面が、前記光源の発光部を焦点とする放物状の湾曲面で形成されていることを特徴とする請求項１〜３の何れか１つに記載の車両用ターンシグナルランプ。
【発明の詳細な説明】
【技術分野】
【０００１】
本発明は、ヘッドランプやリヤコンビネーションランプ等に併設される車両用ターンシグナルランプに関する。
【背景技術】
【０００２】
従来、ヘッドランプに併設されたターンシグナルランプとして、例えば、特許文献１に示されているように、光源の出射光の一部をアウターレンズの側方からも照射する所謂サイドターンシグナル機能を備えて、車両後方からの視認性を向上し得るようにしたものが知られている。
【０００３】
これは、具体的にはアウターレンズの前面と車幅方向外側の側面との連設部分に、部分的に突出部を膨出成形し、この膨出部内に、その前部内面に沿って光源の出射光を斜め後方に向けて反射させるサブリフレクタを配設して構成されている。
【特許文献１】特開２００６−３３１７４４号公報
【発明の開示】
【発明が解決しようとする課題】
【０００４】
前記従来の構造では、サブリフレクタはアウターレンズに部分的に膨出成形した突出部内に配設される関係上、その反射面積が小さく制約されて配光性能上、満足のいくものではなかった。しかも、このサブリフレクタはターンシグナルランプのメインのリフレクタとは別部品で、前記突出部内に組付けられるため、組付け精度にバラツキが生じて配光性能に悪影響を及ぼしてしまう。
【０００５】
また、前述のようにアウターレンズに部分的に突出部を膨出成形してあることに加えて、該突出部の前部内面に沿って配設したサブリフレクタが、外側から影のように見えるため見栄えが悪化してしまう。
【０００６】
更に、サブリフレクタが別部品であるため、部品点数が嵩み、その分、部品管理工数も嵩んでコスト的に不利となってしまう。
【０００７】
そこで、本発明は別部品のサブリフレクタを用いることなくサイドターンシグナル機能が得られ、しかも、構造上無理なくサイドターンシグナル配光範囲を広げられてその視認性を向上することができる車両用ターンシグナルランプを提供するものである。
【課題を解決するための手段】
【０００８】
本発明の車両用ターンシグナルランプにあっては、ハウジングと、該ハウジングの開口部を覆うアウターレンズと、これらハウジングとアウターレンズとで形成された灯室に配設された光源と、該光源の出射光を反射する反射面が形成されたリフレクタと、を備えた車両用ターンシグナルランプであって、前記リフレクタは、前記アウターレンズの内面に沿って配設された奥見え防止用のインナーパネルに一体に形成され、該リフレクタには、前記光源の出射光の一部を車幅方向外側に向けて透過させる光透過部が形成されている一方、前記アウターレンズは、その車幅方向外側の側面にサイドターンシグナル用の側方出射部を備え、前記インナーパネルの前記リフレクタと側方出射部との間に配置された部分の裏面には、前記光透過部を透過した光源の出射光の一部を前記側方出射部に向けて反射させる第２の反射面が形成されていることを主要な特徴としている。
【０００９】
前記光源の出射光は、リフレクタの反射面により反射されて所定の配光パターンでランプ前方に照射される。一方、この光源の出射光の一部は、前記リフレクタに形成された光透過部を透過する。この光透過部を透過した光は、そのままアウターレンズの側方出射部からランプ側方に照射される直射系と、インナーパネルの裏面に形成された第２の反射面で反射されて、前記側方出射部からランプ後斜方向に照射される反射系の２系統の光路グループで構成され、サイドターンシグナル配光範囲が広げられる。
【発明の効果】
【００１０】
本発明によれば、光源の出射光の一部がリフレクタの光透過部を透過して、アウターレンズの側方出射部からランプ側方に照射することができて、サイドターンシグナル機能を発揮することができる。
【００１１】
このとき、前記光透過部を透過した光は、直接アウターレンズの側方出射部からランプ側方に照射される直射系と、インナーパネル裏面の第２の反射面で反射されて、前記側方出射部からランプ後斜方向に照射される反射系の２系統の光路グループで構成されるため、サイドターンシグナルの配光範囲を広げられて視認性を向上することができる。
【００１２】
しかも、前記第２の反射面は、アウターレンズの裏面に沿って配設される奥見え防止用のインナーパネルを有効利用して、このインナーパネルの所要部位の裏面に形成されているため、前記従来の構造と較べて反射面積が小さく制約されることがなく、サイドターンシグナルの配光上必要な反射面積を容易に確保できて配光性能を高めることができる。
【００１３】
また、前記第２の反射面をインナーパネルによりアウターレンズの形状に沿って配光上無理なく形成できるので、設計の自由度を拡大することができる。
【００１４】
更に、リフレクタと第２の反射面とが、インナーパネルを有効利用して一体に形成されているので、リフレクタの光透過部と第２の反射面との位置精度を出し易く、サイドターンシグナルの配光性能をより一層高めることができる。
【００１５】
そして、前述のように前記第２の反射面をインナーパネルを有効利用してその裏面に形成してあるので、見映えを悪化することがなく、かつ、コスト的にも有利に得ることができる。
【発明を実施するための最良の形態】
【００１６】
以下、本発明の一実施形態をヘッドランプを例に採って図面と共に詳述する。
【００１７】
図１は本発明に係るターンシグナルランプを併設したヘッドランプを示す平断面図、図２は第２の反射面を拡大して示す断面図、図３は側方出射部を拡大して示す断面図である。
【００１８】
本実施形態のターンシグナルランプ１０は、図１に示すようにヘッドランプ１のメインランプ２の側部に併設されている。
【００１９】
このヘッドランプ１は車体のフロントエンド部の車幅方向コーナー部からフロントサイドのフロントフェンダーの側部に大きく廻り込むように、車体前後方向に長大に構成され、１つのハウジング３とその前側開口部を覆うアウターレンズ４とで形成された灯室５内に、ヘッドランプ用のメインランプ２と、ターンシグナルランプ１０とが車幅方向に併設されている。
【００２０】
前記ハウジング３の前側開口部の周縁部には溝部３ａが形成され、アウターレンズ４はその後部周縁部を、前記溝部３ａに充填したシールを兼ねた接着材６に埋め込んで該ハウジング３に結合されている。
【００２１】
図１では前記メインランプ２は便宜上リフレクタのみを示しており、このメインランプ２は、ポビット７と複数のエイミングボルト８とからなるエイミング機構によって光軸調整が可能となっている。
【００２２】
前記ターンシグナルランプ１０は、前記メインランプ２の車幅方向外側の側部に併設されている。
【００２３】
このターンシグナルランプ１０は、前記灯室５内に配設された光源としてのバルブ１１と、該バルブ１１の出射光を車両前方に向けて反射する反射面１２が形成されたリフレクタ１３と、を備えている。
【００２４】
前記バルブ１１は、前記ハウジング３に設けられたバルブ取付口９に後方より挿入して、ソケット部１１ａを該バルブ取付口９の口縁部に固定して取付けられている。
【００２５】
前記リフレクタ１３の反射面１２は、前記バルブ１１の発光部を焦点Ｆとする放物状の湾曲面で形成されている。
【００２６】
前記アウターレンズ４の前面部には、奥見え防止とターンシグナルランプ１０の配設部の隔成とを兼ねた適宜の合成樹脂材からなるインナーパネル１４が、該前面部の内面に沿って配設されており、前記リフレクタ１３はこのインナーパネル１４の所定部位を凹設して該インナーパネル１４に一体に形成されている。
【００２７】
インナーパネル１４の前面はアルミ等の金属蒸着が施された意匠面として形成され、前記反射面１２はこの金属蒸着によって鏡面に仕上げられている。
【００２８】
前記リフレクタ１３の車幅方向外側の側部には、前記バルブ１１の出射光の一部を車幅方向外側に向けて透過させる光透過部１５が形成されている。
【００２９】
この光透過部１５は、サイドターンシグナルの配光上に必要な前後方向幅と高さの所要面積に設定される。
【００３０】
また、本実施形態では前記光透過部１５を開口部として形成しているが、リフレクタ１３が透明な樹脂材料で形成されている場合、金属蒸着により反射面１２を形成する際に、マスキングを施すことによって該光透過部１５を形成することもできる。
【００３１】
一方、前記アウターレンズ４の車幅方向外側の側部には、レンズ前面部から車両後方に向けて屈曲したサイドターンシグナル用の側方出射部１６が形成されている。
【００３２】
そして、前記インナーパネル１４の前記リフレクタ１３と側方出射部１６との間に配置された部分の裏面には、前記光透過部１５を透過した光源の出射光の一部を前記側方出射部１６に向けて反射させる第２の反射面１７が形成されている。この第２の反射面１７も前記バルブ１１の発光部を焦点Ｆとする湾曲面で形成され、インナーパネル１４の裏面にアルミ等の金属蒸着を施して鏡面に仕上げられている。
【００３３】
この第２の反射面１７および前記側方出射部１６の裏面には、図２，図３に示すようにプリズム１７ａ，１６ａが形成され、これらのプリズム１７ａ，１６ａにより入射光が拡散されるようにしている。
【００３４】
前記側方出射部１６の裏面のプリズム１６ａは、該裏面のほぼ全体に亘って形成され、その前後方向形成範囲が、前記第２の反射面１７のプリズム１７ａの車幅方向形成範囲よりも広く設定されている。
【００３５】
また、前記何れのプリズム１６ａ，１７ａも、図２，図３に示すように複数個の縦方向の略半円柱状突部が連続した凹凸面として形成されている。
【００３６】
以上の構成からなる本実施形態のターンシグナルランプ１０によれば、バルブ１１の出射光はアウターレンズ４を通して車両前方に直射されると共に、リフレクタ１３の反射面１２で反射されて該アウターレンズ４を通して車両前方に広角度に投射され、所定パターンのターンシグナル配光が得られる。
【００３７】
前記バルブ１１の出射光の一部は、前記光透過部１５を透過し、アウターレンズ４の側方出射部１６を通してランプ側方にサイドターンシグナル配光として照射される。
【００３８】
前記光透過部１５を透過して前記側方出射部１６に向かう光は、図１〜図３に示すように光透過部１５を透過してそのまま側方出射部１６からランプ側方に照射される直射系Ｌ１と、インナーパネル１４の裏面に形成された第２の反射面１７で反射されて、前記側方出射部１６からランプ後斜方向に照射される反射系Ｌ２の２系統の光路グループで構成される。
【００３９】
このように本実施形態のターンシグナルランプ１０によれば、バルブ１１の出射光の一部がリフレクタ１３の光透過部１５を透過して、アウターレンズ４の側方出射部１６からランプ側方に照射することができて、サイドターンシグナル機能を発揮することができる。
【００４０】
このとき、前述のように光透過部１５を透過した光は、直接アウターレンズ４の側方出射部１６からランプ側方に照射される直射系Ｌ１と、インナーパネル１４裏面の第２の反射面１７で反射されて、前記側方出射部１６からランプ後斜方向に照射される反射系Ｌ２の２系統の光路グループで構成されるため、サイドターンシグナルの配光範囲を広げられて車両後方からの視認性を含めて、視認性を向上することができる。
【００４１】
しかも、前記第２の反射面１７は、アウターレンズ４の裏面に沿って配設された奥見え防止用のインナーパネル１４を有効利用して、その所要部位の裏面に形成されているため、前記従来のように別部品のサブリフレクタをアウターレンズの突出部内面に組付けた構造と較べて反射面積が小さく制約されることがなく、サイドターンシグナルの配光上必要な反射面積を容易に確保できて配光性能を高めることができる。
【００４２】
また、前記第２の反射面１７をインナーパネル１４によりアウターレンズ４の形状に沿って配光上無理なく形成できるので、設計の自由度を拡大することができる。
【００４３】
更に、リフレクタ１３と第２の反射面１７とが、インナーパネル１４を有効利用して一体に形成されているので、リフレクタ１３の光透過部１５と第２の反射面１７との位置精度を出し易く、サイドターンシグナルの配光性能をより一層高めることができる。
【００４４】
そして、前述のように前記第２の反射面１７をインナーパネル１４を有効利用してその裏面に形成してあるので、見栄えを悪化することがなく、かつ、コスト的にも有利に得ることができる。
【００４５】
ここで、前述のようにリフレクタ１３はインナーパネル１４を部分的に凹設して形成され、その反射面１２がバルブ１１の発光部を焦点Ｆとする放物状の湾曲面で形成されているため、バルブ１１の出射光を車両前方に配光上必要な広角度に反射させて所要のターンシグナル配光パターンを形成することができる。
【００４６】
一方、インナーパネル１４に形成された第２の反射面１７もバルブ１１の発光部を焦点Ｆとする放物状の湾曲面で形成されているため、バルブ１１の出射光を側方出射部１６に向けて広角度に反射させて、該側方出射部１６に効率よく入射させることができる。また、この第２の反射面１７にはプリズム１７ａが形成されているため、前記光透過部１５を透過して該第２の反射面１７に入射する光を、前記プリズム１７ａにより図２，図３に反射光Ｌ２として示すように拡散反射させて、アウターレンズ４の側方出射部１６の全面に効率よく入射させることができる。しかも、このプリズム１７ａは、複数個の縦方向の略半円柱状突部が連続した凹凸面として形成されているため、それらの拡散反射作用により前記側方出射部１６にその前後方向に広角度で、かつ、光をムラなく入射させることができる。
【００４７】
また、前記側方出射部１６の裏面にはプリズム１６ａが形成されているため、前記第２の反射面１７で反射されて該側方出射部１６に入射する光を、前記プリズム１６ａにより拡散させて、車体の側方から後斜方向に亘る広い範囲に照射させることができる。しかも、このプリズム１６ａは、前記プリズム１７ａと同様に複数個の縦方向の略半円柱状突部が連続した凹凸面として形成されているため、それらの拡散作用により照射範囲を車両前後方向に拡大でき、かつ、サイドターンシグナルの配光パターンをムラなく形成することができる。これは、例えば図３に示すように第２の反射面１７のプリズム１７ａにより拡散反射される反射系光路Ｌ２は、所要の広角度で側方出射部１６に向かって、図４に示すように該側方出射部１６のプリズム１６ａにより拡散，出射される光路Ｌ２ａと、所要の小角度で側方出射部１６に向かって、該側方出射部１６のプリズム１６ａにより屈折して前記光路Ｌ２ａよりも車体後方に向けて広がりをもって出射される光路Ｌ２ｂとの光路成分が得られ、もって、車体の側方から後斜方向に亘る広範囲にサイドターンシグナル配光を拡大することが可能となる。
【００４８】
また、側方出射部１６のプリズム１６ａの前後方向形成範囲を第２の反射面１７のプリズム１７ａの車幅方向形成範囲よりも広く設定してあるので、前記サイドターンシグナル配光の前後方向配光範囲をより一層拡大することができる。
【００４９】
なお、前記実施形態では本発明をヘッドランプに適用した例を示したが、リヤコンビネーションランプに適用することも可能である。
【図面の簡単な説明】
【００５０】
【図１】本発明に係るターンシグナルランプを併設したヘッドランプを示す平断面図。
【図２】第２の反射面を拡大して示す断面図。
【図３】側方出射部を拡大して示す断面図。
【符号の説明】
【００５１】
１  ヘッドランプ
３  ハウジング
４  アウターレンズ
５  灯室
１０  ターンシグナルランプ
１１  バルブ（光源）
１２  反射面
１３  リフレクタ
１４  インナーパネル
１５  光透過部
１６  側方出射部
１７  第２の反射面
Ｆ  焦点
【図１】
2010040316.tif 000003
【図２】
2010040316.tif 000004
【図３】
2010040316.tif 000005